(57)【要約】      （修正有）【課題】コストをかけることなく、ヘルメットに対する障害物の接近を検出し、これを装着者に警告することが可能なヘルメット装着具を提供する。【解決手段】ヘルメット装着具１００は、ヘルメット５０に対して着脱可能な着脱体１１０と、着脱体に設けられ、周囲に存在する物体との間の距離を検出する距離センサー１３１、１３２、１３３と、ヘルメットに設けられ、発光による報知を行う発光部１４０と、着脱体に設けられ、警告音を発生することによる報知を行う音声発生部１５０と、着脱体に設けられ、距離センサーで検出された距離が第２距離以下で第１距離より長いときに、発光部１４０を発光させると共に、距離センサーで検出された距離が、第１距離以下であるときに音声発生部１５０から警告音を発生させる制御部と、からなる。【選択図】図１
0003188530.tif 000002
【実用新案登録請求の範囲】
【請求項１】
ヘルメットに対して着脱可能な着脱体と、
前記着脱体に設けられ、周囲に存在する物体との間の距離を検出する距離センサーと、
発光による報知を行う発光部と、
警告音を発生することによる報知を行う音声発生部と、
前記距離センサーで検出された距離が第２距離以下で第１距離より長いときに、前記発光部を発光させると共に、前記距離センサーで検出された距離が、前記第１距離以下であるときに前記音声発生部から警告音を発生させる制御部と、からなることを特徴とするヘルメット装着具。
【請求項２】
前記距離センサーが複数設けられることを特徴とする請求項１に記載のヘルメット装着具。
【請求項３】
前記着脱体がバンドからなることを特徴とする請求項１又は請求項２に記載のヘルメット装着具。
【請求項４】
前記着脱体がカバーであることを特徴とする請求項１又は請求項２に記載のヘルメット装着具。
【考案の詳細な説明】
【技術分野】
【０００１】
本考案は、ヘルメットに装着することで、ヘルメット上方に関する情報を検出し、装着者に報知を行うヘルメット装着具に関する。
【背景技術】
【０００２】
ヘルメットを装着すると、ヘルメットのひさしにより、前方上部に存在するものが視界に入り難くなると共に、ヘルメットは自身の頭部より一回り大きいために、上方の物体にヘルメットを衝突させやすい、という問題がある。
【０００３】
このような問題は、特に上方に障害物が多数存在する、高所作業車を用いた作業を行う場合に、切実である。高所作業車を用いた作業では、作業かごを上昇させるためのレバー操作などで下方に気を取られてしまう分、上方への注意がおろそかになりがちであり、ヘルメットを上方障害物に当ててしまう事故が発生しやすい。
【０００４】
そこで、ヘルメットに対する障害物の接近を検出し、これを警告する機能を設ける技術が提案されていている。例えば、特許文献１（特開平１０−２０３７９９号公報）には、近接センサーと、当該近接センサーからの信号を受けて近接センサーに障害物が所定の範囲内に近接していることを判別して判別信号を出力する判別手段、および判別信号を受けて警報する警報手段を保安用ヘルメットに取付けたことを特徴とする障害物近接検出装置付ヘルメットが開示されている。
【特許文献１】特開平１０−２０３７９９号公報
【考案の開示】
【考案が解決しようとする課題】
【０００５】
ヘルメットにおいては、安全を担保するために、使用開始後所定期間が経過したものについては、更新を行ったり、或いは、衝突回数や傷の具合によっては、所定期間が経過しないものでも、更新を行ったりする、という運用が行われている。
【０００６】
上記のような運用を行うために、従来の障害物近接検出装置付ヘルメットでは、ヘルメット更新時において、近接センサーなどの高価な部品までも更新することとなるため、コストがかかってしまうため、実質的に実現することが困難である、という問題があった。
【課題を解決するための手段】
【０００７】
上記のような課題を解決するために、請求項１に係る考案は、ヘルメットに対して着脱可能な着脱体と、前記着脱体に設けられ、周囲に存在する物体との間の距離を検出する距離センサーと、発光による報知を行う発光部と、警告音を発生することによる報知を行う音声発生部と、前記距離センサーで検出された距離が第２距離以下で第１距離より長いときに、前記発光部を発光させると共に、前記距離センサーで検出された距離が、前記第１距離以下であるときに前記音声発生部から警告音を発生させる制御部と、からなることを特徴とするヘルメット装着具である。
【０００８】
また、請求項２に係る考案は、請求項１に記載のヘルメット装着具において、前記距離センサーが複数設けられることを特徴とする。
【０００９】
また、請求項３に係る考案は、請求項１又は請求項２に記載のヘルメット装着具において、前記着脱体がバンドからなることを特徴とする。
【００１０】
また、請求項４に係る考案は、請求項１又は請求項２に記載のヘルメット装着具において、前記着脱体がカバーであることを特徴とする。
【考案の効果】
【００１１】
本考案のヘルメット装着具では、ヘルメットに対して着脱可能な着脱体に、距離センサーなどのコストがかかる部品が取り付けられており、ヘルメット更新時には、これらの部品については更新する必要がないので、本考案のヘルメット装着具によれば、コストをかけることなく、ヘルメットに対する障害物の接近を検出し、これを装着者に警告する機能を実現することが可能となる。
【図面の簡単な説明】
【００１２】
【図１】本考案の実施の形態に係るヘルメット装着具１００を人が装着した状態を示す図である。
【図２】本考案の実施の形態に係るヘルメット装着具１００のブロック構成を示す図である。
【図３】本考案の実施の形態に係るヘルメット装着具１００の制御フローチャートの一例を示す図である。
【考案を実施するための形態】
【００１３】
以下、本考案の実施の形態を図面を参照しつつ説明する。図１は本考案の実施の形態に係るヘルメット装着具１００を人が装着した状態を示す図であり、図２は本考案の実施の形態に係るヘルメット装着具１００のブロック構成を示す図である。
【００１４】
ヘルメット装着具１００に装着する、一般的なヘルメット５０に装着することで、ヘルメット５０に対する障害物の接近を検出し、これを装着者に警告する機能を付与するものである。
【００１５】
ヘルメット装着具１００の着脱体１１０は、ヘルメット５０に対し着脱可能に構成されるものであり、本実施形態では、ヘルメット５０の周囲を１周する環状帯部材１１１と、ヘルメット５０の縦方向に設けられ、ヘルメット５０の周囲を略半周する縦帯部材１１３と、ヘルメット５０の横方向に設けられ、ヘルメット５０の周囲を略半周する横帯部材１１４と、から構成されている。
【００１６】
上記各部材が交差する箇所においては、それぞれの部材同士が縫いつけられており、環状帯部材１１１と縦帯部材１１３と横帯部材１１４とは全体として一体構造の着脱体１１０とされている。
【００１７】
また、環状帯部材１１１、縦帯部材１１３、横帯部材１１４にはベルト素材などを用いることができる。なお、本実施形態においては、上記のような各帯部材からなる着脱体１１０を用いる例に基づいて説明を行うが、着脱体１１０としては、ヘルメット５０の外周囲全体を覆うことが可能なカバーなどを用いることもできる。
【００１８】
環状帯部材１１１には、左右両側にそれぞれ２つの引っかけ部材１１７が装着されており、この引っかけ部材１１７がヘルメット５０の縁に、計４箇所で引っかかり、着脱体１１０がヘルメット５０に固定されるようになっている。
【００１９】
一方、着脱体１１０を構成する環状帯部材１１１と縦帯部材１１３と横帯部材１１４は、伸縮性のある部材で構成されているため、引っかけ部材１１７をヘルメット５０から外すことも容易となっている。
【００２０】
環状帯部材１１１には、引っかけ部材１１７と共に、電池ボックス１２０が取り付けられている。この電池ボックス１２０には、ヘルメット装着具１００を電気的に駆動するためのエネルギー源となる電池（不図示）が収容されると共に、制御部１３０などを構成する回路基板（不図示）などが収容されている。
【００２１】
また、電池ボックス１２０には、ヘルメット装着具１００を起動するスイッチ１２５が設けられている。このようなスイッチ１２５としては、例えば、スライド式のものを用いることができる。なお、電池ボックス１２０には、スイッチ１２５がオンされているとき、点灯するＬＥＤなどを設けることもできる。
【００２２】
縦帯部材１１３には、周囲に存在する物体との間の距離を検出する、第１距離センサー１３１、第２距離センサー１３２、第３距離センサー１３３の３つの距離センサーが設けられている。各距離センサーで検出された距離情報については、制御部１３０に対して送信される。なお、第１距離センサー１３１、第２距離センサー１３２、第３距離センサー１３３と、電池ボックス１２０の制御部１３０との間には、不図示の配線が施されている。また、本実施形態においては、距離センサーを３つ設けるようにしているが、距離センサーを設ける数としては任意とすることができる。
【００２３】
制御部１３０としては、例えば、プログラムに応じた処理を実行する汎用のマイクロコンピューターなどを用いることができるが、制御部１３０としてマイクロコンピューター以外の専用の回路を用いることもできる。
【００２４】
付勢された２つの狭持片などからなるクリップ部材１１８には、ＬＥＤなどの発光部１４０が設けられている。発光部１４０は発光することで、ヘルメット５０の装着者に報知・警告を行う。
【００２５】
クリップ部材１１８は、クリップ部材１１８の２つの狭持片によって、ヘルメット５０の縁を噛ませるようにしてヘルメット５０に取り付けることができる。発光部１４０と電池ボックス１２０との間には、不図示の配線が施されており、制御部１３０による制御に基づいて、発光部１４０の点灯・消灯が行われるようになっている。
【００２６】
また、環状帯部材１１１には、警告音を発生することによって報知・警告を行う音声発生部１５０が設けられている。音声発生部１５０と電池ボックス１２０との間には、不図示の配線が施されており、制御部１３０による制御に基づいて、音声発生部１５０からの警告音の発生・停止が行われるようになっている。
【００２７】
次に、以上のように構成される本考案の実施の形態に係るヘルメット装着具１００の動作を説明する。図３は本考案の実施の形態に係るヘルメット装着具１００の制御フローチャートの一例を示す図である。このような制御フローチャートは、制御部１３０によって実行される。
【００２８】
ステップＳ１００において、スイッチ１２５がオンされることで起動すると、まず、ステップＳ１０１で、Ｎに１がセットされる。
【００２９】
続いて、ステップＳ１０２で、第１距離センサー１３１乃至第３距離センサー１３３の３つの距離センサーのうち、第Ｎ距離センサーより検出距離（ｄ）を取得する。
【００３０】
ステップＳ１０３では、Ｄ1＜ｄ≦Ｄ2であるか否かを判定する。ただし、Ｄ1は所定の
第１距離で、Ｄ2は所定の第１距離より、さらに長い第２距離である。
【００３１】
ステップＳ１０３における判定がＹＥＳであるときには、ステップＳ１０６に進み、発光部１４０を発光させて、装着者に、周囲の対象物との間の距離が第２距離（Ｄ2）を下
回っていることを報知・警告する。ステップＳ１０３における判定がＮＯであるときには、ステップＳ１０４に進む。
【００３２】
ステップＳ１０４では、ｄ≦Ｄ1であるか否かを判定する。ステップＳ１０３における
判定がＹＥＳであるときには、ステップＳ１０７に進み、音声発生部１５０から警告音を発生させて、装着者に、周囲の対象物との間の距離が第２距離（Ｄ2）より短い第１距離
（Ｄ1）を下回っていることを報知・警告し、より一層の警戒を行うように促す。
【００３３】
ステップＳ１０５では、スイッチ１２５がオフとなったかが判定される。この判定がＮＯである場合には、続いて、ステップＳ１０８に進み、Ｎ＝３であるか否かが判定される。この判定がＮＯであるときには、ステップＳ１０９に進み、Ｎを１インクリメントしてから、ステップＳ１０２に進み、ループする。一方、ステップＳ１０８の判定がＹＥＳであるときには、ステップＳ１０１に戻りループする。以上のように、第１距離センサー１３１乃至第３距離センサー１３３の３つの距離センサーの情報をそれぞれ利用することができる。
【００３４】
スイッチ１２５がオフとなり、ステップＳ１０５の判定がＹＥＳとなると、ステップＳ１１０  に進み、処理を終了する。
【００３５】
以上、本考案のヘルメット装着具１００では、ヘルメット５０に対して着脱可能な着脱体１１０に、距離センサーなどのコストがかかる部品が取り付けられており、ヘルメット更新時には、これらの部品については更新する必要がないので、本考案のヘルメット装着具１００によれば、コストをかけることなく、ヘルメット５０に対する障害物の接近を検出し、これを装着者に警告する機能を実現することが可能となる。
【符号の説明】
【００３６】
５０・・・ヘルメット
１００・・・ヘルメット装着具
１１０・・・着脱体
１１１・・・環状帯部材
１１３・・・縦帯部材
１１４・・・横帯部材
１１７・・・引っかけ部材
１１８・・・クリップ部材
１２０・・・電池ボックス
１２５・・・スイッチ
１３０・・・制御部
１３１・・・第１距離センサー
１３２・・・第２距離センサー
１３３・・・第３距離センサー
１４０・・・発光部
１５０・・・音声発生部
【図１】
0003188530.tif 000003
【図２】
0003188530.tif 000004
【図３】
0003188530.tif 000005
【手続補正書】
【提出日】平成25年11月20日(2013.11.20)
【手続補正１】
【補正対象書類名】実用新案登録請求の範囲
【補正対象項目名】全文
【補正方法】変更
【補正の内容】
【実用新案登録請求の範囲】
【請求項１】
ヘルメットに対して着脱可能な着脱体と、
前記着脱体に設けられ、周囲に存在する物体との間の距離を検出する距離センサーと、
前記ヘルメットに設けられ、発光による報知を行う発光部と、
前記着脱体に設けられ、警告音を発生することによる報知を行う音声発生部と、
前記着脱体に設けられ、前記距離センサーで検出された距離が第２距離以下で第１距離より長いときに、前記発光部を発光させると共に、前記距離センサーで検出された距離が、前記第１距離以下であるときに前記音声発生部から警告音を発生させる制御部と、からなることを特徴とするヘルメット装着具。
【請求項２】
前記距離センサーが複数設けられることを特徴とする請求項１に記載のヘルメット装着具。
【請求項３】
前記着脱体がバンドからなることを特徴とする請求項１又は請求項２に記載のヘルメット装着具。
【請求項４】
前記着脱体がカバーであることを特徴とする請求項１又は請求項２に記載のヘルメット装着具。
【手続補正２】
【補正対象書類名】明細書
【補正対象項目名】０００７
【補正方法】変更
【補正の内容】
【０００７】
上記のような課題を解決するために、請求項１に係る考案は、ヘルメットに対して着脱可能な着脱体と、前記着脱体に設けられ、周囲に存在する物体との間の距離を検出する距離センサーと、前記ヘルメットに設けられ、発光による報知を行う発光部と、前記着脱体に設けられ、警告音を発生することによる報知を行う音声発生部と、前記着脱体に設けられ、前記距離センサーで検出された距離が第２距離以下で第１距離より長いときに、前記発光部を発光させると共に、前記距離センサーで検出された距離が、前記第１距離以下であるときに前記音声発生部から警告音を発生させる制御部と、からなることを特徴とする。